(57)【要約】      （修正有）【課題】プラントに設置されるさまざまなフィールド機器の設定値に関する設定の誤りや異常を容易に検知し、設定値の管理を効率的に行う機器管理装置を提供する。【解決手段】第１表記の単位系（例えばｍｍ）で表された第１設定値の数値と、第２表記の単位系（例えばｃｍ）で表された第２設定値の数値とを記憶する記憶部と、第１設定値の数値を第２表記の単位系に換算する換算部３１と、第２表記の単位系で表すように換算された第１設定値の数値を、第２設定値の数値と比較可能に配置した画像を生成する画像生成部３３と、を備える。【選択図】図２
2016197333.tif 000002
【特許請求の範囲】
【請求項１】
第１表記に準拠している第１設定値と第２表記に準拠している第２設定値とを記憶する記憶部と、
前記第１設定値を前記第２表記に準拠するように換算する換算部と、
前記第２表記に準拠するように換算された前記第１設定値を前記第２設定値と比較可能に配置した画像を生成する画像生成部と、を備える、
機器管理装置。
【請求項２】
前記記憶部は、複数の設定値を記憶しており、
前記換算部は、前記記録部において前記第１表記に準拠している設定値の数より前記第２表記に準拠している設定値の数が多く記録されている場合に、前記第１表記に準拠している設定値を前記第２表記に準拠するように換算する、
請求項１に記載の機器管理装置。
【請求項３】
前記画像生成部は、前記第２表記に準拠するように換算された前記第１設定値の表示形態と前記第２設定値の表示形態とが異なるように前記画像を生成する、
請求項１または請求項２に記載の機器管理装置。
【請求項４】
第１表記に準拠している第１設定値と第２表記に準拠している第２設定値とを記憶するステップと、
前記第１設定値を前記第２表記に準拠するように換算するステップと、
前記第２表記に準拠するように換算された前記第１設定値を前記第２設定値と比較可能に配置した画像を生成するステップと、を含む、
機器管理方法。
【請求項５】
コンピュータに、
第１表記に準拠している第１設定値と第２表記に準拠している第２設定値とを記憶する機能と、
前記第１設定値を前記第２表記に準拠するように換算する機能と、
前記第２表記に準拠するように換算された前記第１設定値を前記第２設定値と比較可能に配置した画像を生成する機能と、
を実現させるための機器管理プログラム。
【発明の詳細な説明】
【技術分野】
【０００１】
本発明は、各機器の設定値を容易に管理できる機器管理装置、機器管理方法、および機器管理プログラムに関する。
【背景技術】
【０００２】
従来から、プラント内に配置される多数の機器のプロセスを管理するために、各機器に設定されるパラメータを一覧表示する技術が知られている（例えば、特許文献１参照）。
【０００３】
特許文献１の段落００２４〜００４６、および図１等には、機器管理装置として、パラメータの値を一括更新する複数の機器が選択された場合に、選択機器に対応する機器種別を特定する機器種別特定部１１と、特定された全ての機器種別に共通する共通パラメータを決定する共通パラメータ決定部１２と、共通パラメータごとに一括更新値を入力する入力領域および選択機器の設定値を表示する表示領域を設けた一覧画面を表示する一覧表示部１３と、選択機器に対応する共通パラメータの値を入力領域の入力値で更新する一括更新部１４と、を備え、一覧画面は選択機器／パラメータごとに更新の可否を選択する選択入力領域をさらに有し、一括更新部１４は、選択入力領域にチェックマークが入力されている機器／パラメータを更新対象としてパラメータの値を更新すると記載されている。
【先行技術文献】
【特許文献】
【０００４】
【特許文献１】特開２０１４−９６０９９号公報
【発明の概要】
【発明が解決しようとする課題】
【０００５】
特許文献１に記載の機器管理装置においては、ユーザが複数の機器のそれぞれに対して設定したパラメータのうち、各機器に共通して設定値を一覧表示し、管理している。
【０００６】
ここで、例えばフィールド機器においては、近年の高機能化に伴い、各機器に設定されるパラメータの数は増加しており、ユーザがそれらすべてを理解して管理することが難しくなっている。しかしながら、各機器においては、機器の種類（センサ、流量計、発信機、ポジショナなど）、製造メーカ、通信規格、製造・販売国などの様々な要因によって、保持しているパラメータの種類が異なる。また、設定値の種類（電圧や電流、圧力などの単位やステータス）が同じでも、パラメータの表記（単位など）が異なるなどの理由で、複数の機器のパラメータを比較表示することは容易ではない。
【０００７】
そこで、本発明は、設定値に関する設定の誤りや異常を容易に検知でき、設定値の管理を効率的に行うことができる機器管理装置、機器管理方法、および機器管理プログラムを提供することを目的の一つとする。
【課題を解決するための手段】
【０００８】
上記課題を解決するために、本発明の一側面に係る機器管理装置は、第１表記に準拠している第１設定値と第２表記に準拠している第２設定値とを記憶する記憶部と、前記第１設定値を前記第２表記に準拠するように換算する換算部と、前記第２表記に準拠するように換算された前記第１設定値を前記第２設定値と比較可能に配置した画像を生成する画像生成部と、を備える。
【０００９】
また、上記課題を解決するために、本発明の一側面に係る機器管理方法は、第１表記に準拠している第１設定値と第２表記に準拠している第２設定値とを記憶するステップと、前記第１設定値を前記第２表記に準拠するように換算するステップと、前記第２表記に準拠するように換算された前記第１設定値を前記第２設定値と比較可能に配置した画像を生成するステップと、を含む。
【００１０】
また、上記課題を解決するために、本発明の一側面に係る機器管理プログラムは、コンピュータに、第１表記に準拠している第１設定値と第２表記に準拠している第２設定値とを記憶する機能と、前記第１設定値を前記第２表記に準拠するように換算する機能と、前記第２表記に準拠するように換算された前記第１設定値を前記第２設定値と比較可能に配置した画像を生成する機能と、を実現させる。
【００１１】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されても良い。
【発明の効果】
【００１２】
本発明によれば、複数の異なる表記に準拠している設定値を共通の表記に準拠するように換算することにより、各機器の設定値を比較可能に表示することができ、ユーザは単に数値を比較するだけで複数の機器間における設定値の整合の程度を確認できる。即ち、仮に本来同一の値であるべき２以上の機器の各設定値をユーザが確認するにあたり、従来であれば機器毎に異なる表記を取っていたがために、値が同一であるか否かの判断を誤るおそれがあったところ、本発明によれば、各機器の設定値を共通の表記に換算することにより、判断を誤るおそれが低減され、異常発見の容易化にも寄与することができる。また、本発明の有効性は値が同一の場合に限るものではなく、単に２以上の機器の各設定値を相互に比較する場合であっても、各設定値に係る表記が同一であることにより、ユーザは各設定値の違い（大小関係や差など）を容易に認識することが可能となる。したがって、本発明に係る機器管理装置等によれば、設定値に関する設定の誤りや異常を容易に検知でき、設定値の管理を効率的に行うことができる。
【図面の簡単な説明】
【００１３】
【図１】本発明の実施形態に係る機器管理システムの構成を示す図である。
【図２】本発明の実施形態に係る機器管理装置の機能的構成を示すブロック図である。
【図３】本発明の実施形態に係る記録部に記録されているプロセス機器のパラメータのパラメータテーブルの一例を示す図である。
【図４】本発明の実施形態に係る記録部に記録されているプロセス機器のパラメータのパラメータテーブルの一例を示す図である。
【図５】本発明の実施形態に係る機器管理装置によるプロセス機器の設定値の換算処理および比較表示処理のフローチャートである。
【図６】本発明の実施形態に係る、記録部に記録されているプロセス機器のパラメータのパラメータテーブルの一例と、プロセス機器の設定値の比較表示画像の一例とを示す図である。
【図７】本発明の実施形態に係る、記録部に記録されているプロセス機器のパラメータのパラメータテーブルの一例と、プロセス機器の設定値の比較表示画像の一例とを示す図である。
【図８】本発明の実施形態に係る、記録部に記録されているプロセス機器のパラメータのパラメータテーブルの一例と、プロセス機器の設定値の比較表示画像の一例とを示す図である。
【図９】本発明の実施形態に係る、プロセス機器を構成する調整弁、操作器、および弁の動作の相関関係を示すテーブルの一例を示す図である。
【発明を実施するための形態】
【００１４】
以下、図面を参照して本発明の実施の形態を説明する。また、以下の図面の記載において、同一又は類似の部分には同一又は類似の符号を付して表している。なお、添付図面を参照しながら本発明の実施の形態について説明する。理解を容易にするため、重複する説明は省略する。
【００１５】
（構成）
図１は、本発明の実施形態に係る機器管理システムの構成を示す図である。図１に示すように、機器管理システム１は、例示的に、複数のプロセス機器３（３ａ，３ｂ）、制御装置５、及び制御装置５とシステムバス７を介して接続された機器管理装置９を備えて構成されている。
【００１６】
プロセス機器３は、プラントに設置されるさまざまなフィールド機器である。プロセス機器３ａは、渦式流量計、熱式流量計、各種センサ、などの入力機器である。プロセス機器３ｂは、各種バルブ、及び各種モータなどの出力機器である。例えば、プロセス機器３ａは、検出データを制御装置５ａ又は制御装置５ｂを介してシステムバス７に送信する入力機器で構成されている。また、プロセス機器３ｂは、システムバス７を経由して受信した機器管理装置９からの制御信号に基づいて動作する。なお、プロセス機器３ａは出力機器として構成されてもよく、プロセス機器３ｂは入力機器として構成されてもよい。
【００１７】
制御装置５は、プロセス機器３が出力する情報を入出力する装置である。また、制御装置５は、プロセス機器３の入出力の制御をする装置である。制御装置５は、たとえば、プロセス機器３が出力する情報を、システムバス７を介して、機器管理装置９に出力する。
【００１８】
機器管理装置９は、プロセス機器３の設定値の換算処理および比較表示処理を行う装置である。ここで、「設定値」とは、プロセス機器３毎に想定される値であり、プロセス機器３が出力機器である場合にはプロセス機器３に出力すべき値を意味する。また、プロセス機器３が入力機器である場合には、入力機器が入力すべき値を意味する。
【００１９】
図２は、本発明の実施形態に係る機器管理装置の機能的構成を示すブロック図である。図２に示すように、機器管理装置９は、機能的に、入力部１０、出力部１２、機器情報記憶部２０、換算情報記録部２２、および情報処理部３０を備えて構成されている。なお、機器管理装置９の上記各部は、たとえば、メモリやハードディスクなどの記憶領域に格納されているソフトウェアプログラムをプロセッサが実行することにより実現することができる。
【００２０】
入力部１０は、ユーザの操作情報などを入力する手段である。入力部１０は、プロセス機器３に設定されるパラメータを入力する。例えば、入力部１０として、ユーザが操作するボタン、キーボードやマウスなどを採用することができる。
【００２１】
出力部１２は、画像や音声などを出力する手段である。具体的には、機器管理装置９の操作画面の表示やプロセス機器３の設定値の比較画像表示を実行する。出力部１２としては、液晶ディスプレイ、有機ＥＬディスプレイなどの画像表示装置を採用することができる。たとえば、出力部１２が画像表示装置であれば、プロセス機器３の設定値の比較画像などをディスプレイ上に表示する。
【００２２】
なお、タッチパネル付きディスプレイは、本発明の入力部１０および出力部１２として好適である。タッチパネル付きディスプレイにおいては、ディスプレイ部分が出力部１２に相当し、ディスプレイ部分に重ねて設けられるタッチパネル部分が入力部１０に相当する。
【００２３】
機器情報記録部２０（記録部）は、プロセス機器３に関する各種情報を関連付けて記録し、保持する。
【００２４】
図３および図４は、本発明の実施形態に係る記録部に記録されているプロセス機器のパラメータのパラメータテーブルの一例を示す図である。特に、図３は、プロセス機器（「Ｄｅｖｉｃｅ」と表記する）に設定される長さ（距離）や温度に関するパラメータのパラメータテーブルの一例を示す図である。図４は、プロセス機器に設定される論理値、ユーザが独自に定義する値（定義値）のパラメータテーブルの一例を示す図である。
【００２５】
図３に示すように、機器情報記録部２０は、たとえば「Ｄｅｖｉｃｅ  ＩＤ」、「型（プロセス機器３の種類、タイプなど）」、「パラメータＡ（長さを示す値／単位）」、「パラメータＢ（制御温度を示す値／単位）」、「パラメータＣ（温度制御範囲の比例帯を示す値／単位）」、「パラメータＤ（温度制御範囲の上限を示す値／単位）」、および「パラメータＥ（温度制御範囲の下限を示す値／単位）」等、各種情報を関連づけて記録し、保持する。
機器情報記録部２０は、たとえば、Ｄｅｖｉｃｅ１のパラメータＡにおいて単位「ｃｍ」（第１表記）に準拠している値「２．５」（第１設定値）と、Ｄｅｖｉｃｅ４のパラメータＡにおいて単位「ｍｍ」（第２表記）に準拠している値「２５」（第２設定値）とを記憶し、保持する。なお、図３においては、機器情報記録部２０が記録し保持する、長さや制御温度に関するパラメータのテーブルを説明したが、これらに限られない。たとえば、プロセス機器に設定されるパラメータとして、重量、面積、容量、速度、力、圧力、熱、角度などに関するパラメータが採用されてもよい。
【００２６】
図４（ａ）に示すように、機器情報記録部２０は、「Ｄｅｖｉｃｅ  ＩＤ」、「型（プロセス機器３の種類、タイプなど）」の他、たとえば「ＴＲＵＥ」「ＦＡＬＳＥ」などの論理値を含む「パラメータＡ（論理値）」および「パラメータＢ（論理値／単位）」や、「Ｏｐｅｎ」「Ｃｌｏｓｅ」「Ｄｉｒｅｃｔ」「Ｒｅｖｅｒｓｅ」などの定義値を含むパラメータＣ乃至Ｅ等などの各種情報を関連づけて記録し、保持する。
図４（ｂ）に示すように、機器情報記録部２０は、「Ｄｅｖｉｃｅ  ＩＤ」、「型（プロセス機器３の種類、タイプなど）」の他、たとえば「Ｅｎａｂｌｅ」「Ｄｉｓａｂｌｅ」などの論理値を含む「パラメータＸ（論理値）」や、「Ｏｐｅｎ」「Ｃｌｏｓｅ」などの定義値を含む「パラメータＹ（定義値）」等などの各種情報を関連づけて記録し、保持する。
機器情報記録部２０は、たとえば、Ｄｅｖｉｃｅ１のパラメータＡにおいて論理値表記「ＴＲＵＥ」（第１表記）に準拠している値「ＴＲＵＥ」（第１設定値）と、Ｄｅｖｉｃｅ１のパラメータＸにおいて論理値表記「Ｅｎａｂｌｅ」（第２表記）に準拠している値「Ｅｎａｂｌｅ」（第２設定値）とを記憶し、保持する。また、機器情報記録部２０は、Ｄｅｖｉｃｅ１のパラメータＤにおける論理値表記「Ｄｉｒｅｃｔ」（第１表記）に準拠している値「Ｄｉｒｅｃｔ」（第１設定値）と、Ｄｅｖｉｃｅ１のパラメータＹにおいて論理値表記「Ｏｐｅｎ」（第２表記）に準拠している値「Ｏｐｅｎ」（第２設定値）とを記憶し、保持する。なお、図４（ａ），（ｂ）に記載されている論理値や定義値等はあくまで例示であり、これらに限られない。
【００２７】
換算情報記録部２２は、換算部３３が実行する換算処理の際に使用される換算式や換算テーブルを含む各種換算情報を記録し、保持する。換算式や換算テーブルは、後で詳述するとおり、二以上の設定値の一方を他方の表記に準拠する設定値に換算するためにユーザが設定・登録する換算式や換算テーブルでもよい。また、以下に例示するように、長さ（距離）や温度に関する、基本的な工業単位（表記）の換算式や換算テーブルがあらかじめ設定・登録されてもよい。
【００２８】
換算式／テーブル（１）
（１−１）
ｃｍ→ｍｍ  “Ｙ＝Ｘ＊１０”
（１−２）
ｍｍ→ｃｍ  “Ｙ＝Ｘ／１０”
（１−３）
ｉｎｃｈ→ｍｍ  “Ｙ＝Ｘ＊２５．４”
（１−４）
ｍｍ→ｉｎｃｈ  “Ｙ＝Ｘ／２５．４”
換算式／テーブル（２）
（２−１）
℃（摂氏）→°Ｆ（華氏）  “Ｙ＝Ｘ＊（９／５）＋３２”
（２−２）
°Ｆ（華氏）→℃（摂氏）  “Ｙ＝Ｘ＊（５／９）３２”
【００２９】
情報処理部３０は、プロセス機器３の設定値の換算処理および比較表示処理などをする際に、各種情報を処理する。情報処理部３０は、例示的に、換算部３１、および画像生成部３３を機能的に備える。
【００３０】
換算部３１は、第１表記に準拠する第１設定値を、換算情報記録部２２に記録・保持されている換算式・換算テーブルに基づいて第２表記に準拠するように換算する。換算部３１は、たとえば、単位「ｃｍ」（第１表記）に準拠する値「２．５」（第１設定値）を単位「ｍｍ」（第２表記）に準拠するように、値「２５」（第２設定値）に換算する。
一方、図４に示すような、「ＴＲＵＥ」、「ＦＡＬＳＥ」、「Ｄｉｒｅｃｔ」、「Ｒｅｖｅｒｓｅ」、「Ｏｐｅｎ」、「Ｃｌｏｓｅ」、「Ｅｎａｂｌｅ」、「Ｄｉｓａｂｌｅ」等の論理状態（ステータス）のみからなるパラメータは、図３に示すような、設定値と単位とからなるパラメータと異なり、論理状態を逆転する関係に無い場合には、設定値（論理状態）自体の換算は不要であり、設定値の表記のみを変更（換算）すればよい。すなわち、換算部３１は、たとえば、論理値表記「ＴＲＵＥ」（第１表記）に準拠している値「１」または「真」（第１設定値）を論理値表記「Ｅｎａｂｌｅ」（第２表記）に準拠するように変更（換算）する。
【００３１】
また、換算部３１は、第１表記に準拠する第１設定値を、ユーザの指示に基づいて決定された第２表記に準拠するように換算する。さらに、換算部３１は、記録部において第１表記に準拠している第１設定値より第２表記に準拠している第２設定値が多く記録されている場合に、第１設定値を第２表記に準拠するように換算する、つまり、記録部に記録されている複数の表記のうち、記録されている数が少ない表記に準拠している設定値を、記録されている数が多い表記に準拠するように換算する。
【００３２】
画像生成部３３は、第２表記に準拠するように換算された第１設定値を第２設定値と比較可能に配置した画像を生成する。また、画像生成部３３は、第２表記に準拠するように換算された第１設定値の表示形態と、第２設定値の表示形態とが異なるように画像を生成する。換算された設定値と、それ以外の設定値、たとえば、換算されていない設定値であって記録部に記録・保持されていた設定値とを異なる形態で表示することで、換算された設定値と、それ以外の設定値とを容易に比較することができるので、設定値の管理が容易になる。
【００３３】
（動作）
図５は、本発明の実施形態に係る機器管理装置によるプロセス機器の設定値の換算処理および比較表示処理のフローチャートである。
【００３４】
まず、ステップＳ１において、機器情報記録部２０（記録部）は、第１表記に準拠している第１設定値と第２表記に準拠している第２設定値とを記憶する。
【００３５】
ステップＳ２において、換算部３１は、換算情報記録部２２に記録・保持されている換算式・換算テーブルに基づいて、第１表記に準拠している第１設定値を第２表記に準拠するように換算する。
【００３６】
ステップＳ３において、画像生成部３３は、第２表記に準拠するように換算された第１設定値を第２設定値と比較可能に配置した画像を生成する。
【００３７】
ステップＳ４において、出力部１２は、画像生成部３３により生成された画像を出力する。なお、出力部１２は、第２表記に準拠するように換算された第１設定値を第２設定値と比較可能に音声で出力するように構成されてもよい。
以下では、本発明の実施形態に係る機器管理装置９によるプロセス機器３の設定値の換算処理および比較表示処理のフローを、図６乃至図８を用いて具体的に説明する。
【００３８】
（表示画像例）
図６乃至図８は、本発明の実施形態に係る、記録部に記録されているプロセス機器のパラメータのパラメータテーブルの一例と、プロセス機器の設定値を比較するための表示画像の一例とを示す図である。特に、図６（ａ）は、図３にも示したとおり、本発明の実施形態に係る記録部に記録されているプロセス機器のパラメータのパラメータテーブルの一例を示す図である。図６（ｂ）は、図６（ａ）に示すプロセス機器の設定値の少なくとも一部が換算処理された後、少なくとも一部が換算処理された設定値の比較表示画像の一例を示す図である。
【００３９】
図６（ａ）に示すように、機器情報記録部２０（記録部）は、具体的に、各Ｄｅｖｉｃｅ１，２，３のパラメータＡにおいて単位「ｃｍ」（第１表記）に準拠している値「２．５」（第１設定値）と、各Ｄｅｖｉｃｅ６，７のパラメータＡにおいて単位「ｉｎｃｈ」（第１表記）に準拠している値「１」（第１設定値）と、各Ｄｅｖｉｃｅ４，５のパラメータＡにおいて単位「ｍｍ」（第２表記）に準拠している値「２５」（第２設定値）とを記憶し、保持する（図５のステップＳ１）。
また、図６（ａ）に示すように、機器情報記録部２０（記録部）は、具体的に、各Ｄｅｖｉｃｅ４，５のパラメータＢにおいて単位「−」（第１表記）に準拠している値「−」（値が設定されていないことを示すもの）（第１設定値）と、各Ｄｅｖｉｃｅ６，７のパラメータＢにおいて単位「°Ｆ」（第１表記）に準拠している値「１０５」（第１設定値）と、Ｄｅｖｉｃｅ１，２，３のパラメータＢにおいて単位「℃」（第２表記）に準拠している値「４０」（第２設定値）とを記憶し、保持する（図５のステップＳ１）。
【００４０】
次に、換算部３１は、換算情報記録部２２に記録・保持されている以下の各換算式（１）に基づいて、各Ｄｅｖｉｃｅ１，２，３のパラメータＡにおける単位「ｃｍ」（第１表記）に準拠している値「２．５」（第１設定値）を、各Ｄｅｖｉｃｅ４，５のパラメータＡにおける単位「ｍｍ」（第２表記）に準拠するように換算する（図５のステップＳ２）。
換算式（１）
Ｄｅｖｉｃｅ１：ＰａｒａｍＡ＝＿ＰａｒａｍＡ＊１０
Ｄｅｖｉｃｅ２：ＰａｒａｍＡ＝＿ＰａｒａｍＡ＊１０
Ｄｅｖｉｃｅ３：ＰａｒａｍＡ＝＿ＰａｒａｍＡ＊１０
また、換算部３１は、換算情報記録部２２に記録・保持されている以下の各換算式（２）に基づいて、各Ｄｅｖｉｃｅ６，７のパラメータＡにおける単位「ｉｎｃｈ」（第１表記）に準拠している値「１」（第１設定値）を、各Ｄｅｖｉｃｅ４，５のパラメータＡにおける単位「ｍｍ」（第２表記）に準拠するように換算する（図５のステップＳ２）。
換算式（２）
Ｄｅｖｉｃｅ６：ＰａｒａｍＡ＝＿ＰａｒａｍＡ＊２５．４
Ｄｅｖｉｃｅ７：ＰａｒａｍＡ＝＿ＰａｒａｍＡ＊２５．４
【００４１】
さらに、換算部３１は、換算情報記録部２２に記録・保持されている以下の各換算式（３）に基づいて、各Ｄｅｖｉｃｅ４，５のパラメータＢにおける単位「−」（第１表記）に準拠している値「−」（第１設定値）を、各Ｄｅｖｉｃｅ１，２，３のパラメータＢにおける単位「℃」（第２表記）に準拠するように換算（変換）する（図５のステップＳ２）。
換算式（３）
Ｄｅｖｉｃｅ４：ＰａｒａｍＢ＝＿ＰａｒａｍＣ＊（＿ＰａｒａｍＤ−＿ＰａｒａｍＥ）／１００
Ｄｅｖｉｃｅ５：ＰａｒａｍＢ＝＿ＰａｒａｍＣ＊（＿ＰａｒａｍＤ−＿ＰａｒａｍＥ）／１００
さらにまた、換算部３１は、換算情報記録部２２に記録・保持されている以下の各換算式（４）に基づいて、各Ｄｅｖｉｃｅ６，７のパラメータＢにおける単位「°Ｆ」（第１表記）に準拠している値「１０５」（第１設定値）を、各Ｄｅｖｉｃｅ１，２，３のパラメータＢにおける単位「℃」（第２表記）に準拠するように換算する（図５のステップＳ２）。
換算式（４）
Ｄｅｖｉｃｅ６：ＰａｒａｍＢ＝（５／６）＊（＿ＰａｒａｍＢ−３２）
Ｄｅｖｉｃｅ７：ＰａｒａｍＢ＝（５／６）＊（＿ＰａｒａｍＢ−３２）
【００４２】
画像生成部３３は、換算式（１）に基づいて、単位「ｍｍ」（第２表記）に準拠するように、各Ｄｅｖｉｃｅ１，２，３のパラメータＡにおける値「２．５」から換算された値「２５」（換算された第１設定値）を各Ｄｅｖｉｃｅ４，５のパラメータＡにおける値「２５」（第２設定値）と比較可能に配置した図６（ｂ）に示す画像を生成する（図５のステップＳ３）。
また、画像生成部３３は、換算式（２）に基づいて、単位「ｍｍ」（第２表記）に準拠するように、各Ｄｅｖｉｃｅ６，７のパラメータＡにおける値「１」から換算された値「２５」（換算された第１設定値）を各Ｄｅｖｉｃｅ４，５のパラメータＡにおける値「２５」（第２設定値）と比較可能に配置した図６（ｂ）に示す画像を生成する（図５のステップＳ３）。
【００４３】
さらに、画像生成部３３は、換算式（３）に基づいて、単位「℃」（第２表記）に準拠するように、各Ｄｅｖｉｃｅ４，５のパラメータＢにおける値「−」から換算（変換）された値「４０．０」（換算された第１設定値）を各Ｄｅｖｉｃｅ１，２，３のパラメータＢにおける値「４０．０」（第２設定値）と比較可能に配置した図６（ｂ）に示す画像を生成する（図５のステップＳ３）。ここで、画像生成部３３は、たとえば、各Ｄｅｖｉｃｅ４，５のパラメータＢにおける値「−」から換算（変換）された値「４０．０」（換算された第１設定値）の表示形態と、各Ｄｅｖｉｃｅ１，２，３のパラメータＢにおける値「４０．０」（第２設定値）の表示形態とが異なるように画像を生成する。具体的には、画像生成部３３は、図６（ｂ）に示すように、各Ｄｅｖｉｃｅ４，５のパラメータＢにおける値「−」から換算（実際には、値がないため変換ともいう。）された値「４０．０」（換算された第１設定値）の背景に色を付け、各Ｄｅｖｉｃｅ１，２，３のパラメータＢにおける値「４０．０」（第２設定値）の背景には色を付けないように画像を生成する。
さらにまた、画像生成部３３は、換算式（４）に基づいて、単位「℃」（第２表記）に準拠するように、各Ｄｅｖｉｃｅ６，７のパラメータＢにおける値「１０５」から換算された値「４０．６」（換算された第１設定値）を各Ｄｅｖｉｃｅ１，２，３のパラメータＢにおける値「４０．０」（第２設定値）と比較可能に配置した図６（ｂ）に示す画像を生成する（図５のステップＳ３）。ここで、画像生成部３３は、たとえば、各Ｄｅｖｉｃｅ６，７のパラメータＢにおける値「１０５」から換算された値「４０．６」（換算された第１設定値）の表示形態と、各Ｄｅｖｉｃｅ１，２，３のパラメータＢにおける値「４０．０」（第２設定値）の表示形態とが異なるように画像を生成する。具体的には、画像生成部３３は、図６（ｂ）に示すように、各Ｄｅｖｉｃｅ６，７のパラメータＢにおける値「１０５」から換算された値「４０．６」（換算された第１設定値）の背景に色を付けて、各Ｄｅｖｉｃｅ１，２，３のパラメータＢにおける値「４０．０」（第２設定値）の背景には色を付けないように画像を生成する。
なお、たとえば、各Ｄｅｖｉｃｅ４，５のパラメータＢにおける値「−」から換算（変換）された値「４０．０」（換算された第１設定値）の背景に付けられる色と、各Ｄｅｖｉｃｅ６，７のパラメータＢにおける値「１０５」から換算された値「４０．６」（換算された第１設定値）の背景に付けられる色とを異なるものにすることで、単に換算された値と、実際には値が設定されていないことを示す値「−」とをさらに区別することで、各プロセス機器３の設定値の比較をより詳細にすることができる。
【００４４】
次に、出力部１２は、画像生成部３３により生成された図６（ｂ）に示す画像を出力する（図５のステップＳ４）。
【００４５】
ここで、図６の実施形態においては、換算部３１は、あらかじめ換算情報記録部２２に記録・保持されている複数の換算式・換算テーブルのうち、上記換算式（１）乃至（４）に基づいて、自動的に設定値の換算処理をするように構成されるが、これに限られない。たとえば、換算部３１は、図６において、Ｄｅｖｉｃｅ１，２，３のパラメータＡの単位「ｃｍ」（第１表記）に準拠している値「２．５」（第１設定値）と、Ｄｅｖｉｃｅ４，５のパラメータＡの単位「ｍｍ」（第１表記）に準拠している値「２５」（第１設定値）とを、オペレータが指定する単位「ｉｎｃｈ」（第２表記）に準拠するように換算してもよい。この場合、換算情報記録部２２は、上記換算式（１）および（２）と同様に、単位「ｃｍ」または単位「ｍｍ」に準拠している各設定値が、単位「ｉｎｃｈ」に準拠するように換算可能な換算式・換算テーブルをさらに記録し、保持している。
【００４６】
また、換算部３１は、換算情報記録部２２において第１設定値より第２設定値が多く記録されている場合に、第１設定値を第２表記に準拠するように換算する。たとえば、換算情報記録部２２は、図６（ａ）に示すようにパラメータＡの単位「ｃｍ」は３つ、単位「ｍｍ」は２つ、単位「ｉｎｃｈ」は２つ記録しており、単位「ｃｍ」に準拠する設定値を一番多く記録している。そして、換算部３１は、単位「ｍｍ」および単位「ｉｎｃｈ」（第１表記）のそれぞれに準拠している設定値（第１設定値）を、単位「ｃｍ」（第２表記）に準拠するように換算する。つまり、換算部３１は、最も多く記録されている表記に、その他の表記を一致するように、設定値を換算する。
【００４７】
図７（ａ），（ｂ）は、図４（ａ），（ｂ）にも示したとおり、本発明の実施形態に係る記録部に記録されているプロセス機器のパラメータのパラメータテーブルの一例を示す図である。図７（ｃ）は、図７（ａ），（ｂ）に示すプロセス機器の設定値が換算処理された後、換算処理された設定値の比較表示画像の一例を示す図である。
【００４８】
図７（ａ），（ｂ）に示すように、機器情報記録部２０（記録部）は、具体的に、各Ｄｅｖｉｃｅ１，２，６，７のパラメータＡにおいて論理値表記「ＴＲＵＥ」（第１表記）に準拠している値「１」または「真」（第１設定値）と、Ｄｅｖｉｃｅ３のパラメータＡにおいて論理値表記「ＦＡＬＳＥ」（第１表記）に準拠している値「０」または「偽」（第１設定値）と、Ｄｅｖｉｃｅ４のパラメータＢにおいて論理値表記「ＴＲＵＥ」（第１表記）に準拠している値「１」または「真」（第１設定値）と、Ｄｅｖｉｃｅ５のパラメータＢにおいて論理値表記「ＦＡＬＳＥ」（第１表記）に準拠している値「０」または「偽」（第１設定値）と、各Ｄｅｖｉｃｅ１，２，４，６，７のパラメータＸにおいて論理値表記「Ｅｎａｂｌｅ」（第２表記）に準拠している値「１」または「真」（第２設定値）と、各Ｄｅｖｉｃｅ３，５のパラメータＸにおいて論理値表記「Ｄｉｓａｂｌｅ」（第２表記）に準拠している値「０」または「偽」（第２設定値）と、を記憶し、保持する（図５のステップＳ１）。
【００４９】
次に、換算部３１は、換算情報記録部２２に記録・保持されている以下の換算式（５−１）に基づいて、各Ｄｅｖｉｃｅ１，２，６，７のパラメータＡにおける各論理値表記「ＴＲＵＥ」（第１表記）に準拠している値「１」または「真」（第１設定値）を論理値表記「Ｅｎａｂｌｅ」（第２表記）に準拠するように変更（換算）する（図５のステップＳ２）。
換算式（５−１）
ＤｅｖｉｃｅＮ（整数）：ＰａｒａｍＸ＝  ｉｆ（＿ＰａｒａｍＡ＝＝ＴＲＵＥ）  ｔｈｅｎ  “Ｅｎａｂｌｅ”
また、換算部３１は、換算情報記録部２２に記録・保持されている以下の換算式（５−２）に基づいて、Ｄｅｖｉｃｅ３のパラメータＡにおける論理値表記「ＦＡＬＳＥ」（第１表記）に準拠している値「０」または「偽」（第１設定値）を論理値表記「Ｄｉｓａｂｌｅ」（第２表記）に準拠するように変更（換算）する（図５のステップＳ２）。
換算式（５−２）
ＤｅｖｉｃｅＮ（整数）：ＰａｒａｍＸ＝  ｉｆ（＿ＰａｒａｍＡ＝＝ＦＡＬＳＥ）  ｔｈｅｎ  “Ｄｉｓａｂｌｅ”
さらに、換算部３１は、換算情報記録部２２に記録・保持されている以下の換算式（５−３）に基づいて、Ｄｅｖｉｃｅ４のパラメータＢにおける論理値表記「ＴＲＵＥ」（第１表記）に準拠している値「１」または「真」（第１設定値）を論理値表記「Ｅｎａｂｌｅ」（第２表記）に準拠するように変更（換算）する（図５のステップＳ２）。
換算式（５−３）
ＤｅｖｉｃｅＮ（整数）：ＰａｒａｍＸ＝  ｉｆ（＿ＰａｒａｍＢ＝＝ＴＲＵＥ）  ｔｈｅｎ  “Ｅｎａｂｌｅ”
さらにまた、換算部３１は、換算情報記録部２２に記録・保持されている以下の換算式（５−４）に基づいて、Ｄｅｖｉｃｅ５のパラメータＢにおける論理値表記「ＦＡＬＳＥ」（第１表記）に準拠している値「０」または「偽」（第１設定値）を論理値表記「Ｄｉｓａｂｌｅ」（第２表記）に準拠するように変更（換算）する（図５のステップＳ２）。
換算式（５−４）
ＤｅｖｉｃｅＮ（整数）：ＰａｒａｍＸ＝  ｉｆ（＿ＰａｒａｍＢ＝＝ＦＡＬＳＥ）  ｔｈｅｎ  “Ｄｉｓａｂｌｅ”
【００５０】
画像生成部３３は、換算式（５−１）〜（５−４）に基づいて、論理値表記「Ｅｎａｂｌｅ」，「Ｄｉｓａｂｌｅ」（第２表記）に準拠するように、換算された第１設定値を第２設定値と比較可能に配置した図７（ｃ）に示す画像を生成する（図５のステップＳ３）。
【００５１】
次に、出力部１２は、画像生成部３３により生成された図７（ｃ）に示す画像を出力する（図５のステップＳ４）。
【００５２】
図８（ａ），（ｂ）は、図４（ａ），（ｂ）にも示したとおり、本発明の実施形態に係る記録部に記録されているプロセス機器のパラメータのパラメータテーブルの一例を示す図である。図８（ｃ）は、図８（ａ），（ｂ）に示すプロセス機器の設定値が換算処理された後、換算処理された設定値の比較表示画像の一例を示す図である。
【００５３】
図８（ａ），（ｂ）に示すように、機器情報記録部２０（記録部）は、具体的に、各Ｄｅｖｉｃｅ１，２に関して、パラメータＤの定義値表記「Ｄｉｒｅｃｔ」（第１表記）に準拠している値「１」または「真」（第１設定値）と、パラメータＥの定義値表記「Ｏｐｅｎ」（第１表記）に準拠している値「１」または「真」（第１設定値）と、パラメータＹの定義値表記「Ｏｐｅｎ」（第２表記）に準拠している値「１」または「真」とを記録し、保持する（図５のステップＳ１）。
機器情報記録部２０（記録部）は、具体的に、Ｄｅｖｉｃｅ３に関して、パラメータＤの定義値表記「Ｄｉｒｅｃｔ」（第１表記）に準拠している値「１」または「真」（第１設定値）と、パラメータＥの定義値表記「Ｃｌｏｓｅ」（第１表記）に準拠している値「０」または「偽」（第１設定値）と、パラメータＹの定義値表記「Ｃｌｏｓｅ」（第２表記）に準拠している値「０」または「偽」とを記録し、保持する（図５のステップＳ１）。
機器情報記録部２０（記録部）は、具体的に、各Ｄｅｖｉｃｅ４，５に関して、パラメータＣの定義値表記「Ｏｐｅｎ」（第１表記）に準拠している値「１」または「真」（第１設定値）と、パラメータＹの定義値表記「Ｏｐｅｎ」（第２表記）に準拠している値「１」または「真」とを記録し、保持する（図５のステップＳ１）。
機器情報記録部２０（記録部）は、具体的に、Ｄｅｖｉｃｅ６に関して、パラメータＤの定義値表記「Ｒｅｖｅｒｓｅ」（第１表記）に準拠している値「０」または「偽」（第１設定値）と、パラメータＥの定義値表記「Ｏｐｅｎ」（第１表記）に準拠している値「１」または「真」（第１設定値）と、パラメータＹの定義値表記「Ｃｌｏｓｅ」（第２表記）に準拠している値「０」または「偽」とを記録し、保持する（図５のステップＳ１）。
機器情報記録部２０（記録部）は、具体的に、Ｄｅｖｉｃｅ７に関して、パラメータＤの定義値表記「Ｒｅｖｅｒｓｅ」（第１表記）に準拠している値「０」または「偽」（第１設定値）と、パラメータＥの定義値表記「Ｃｌｏｓｅ」（第１表記）に準拠している値「０」または「偽」（第１設定値）と、パラメータＹの定義値表記「Ｏｐｅｎ」（第２表記）に準拠している値「１」または「真」とを記録し、保持する（図５のステップＳ１）。
ここで、パラメータＣの「Ｏｐｅｎ」、パラメータＤの「Ｄｉｒｅｃｔ」，「Ｒｅｖｅｒｓｅ」、パラメータＥの「Ｏｐｅｎ」，「Ｃｌｏｓｅ」、パラメータＹの「Ｏｐｅｎ」，「Ｃｌｏｓｅ」がどのようなプロセス機器３に対して設定され、どのような作動に対して設定される定義値であるのか、各定義値にどのような関連があるのかについて図９を用いて説明する。
【００５４】
図９は、本発明の実施形態に係る、調節弁を構成する操作器および弁の作動と、プロセス機器（調整弁）の作動との相関関係を示すテーブルの一例を示す図である。図９のパラメータテーブルに示すように、図８に示すパラメータＣは、調節弁４１の作動を示す定義値に対応しており、図８に示すパラメータＤは、操作器４３の作動を示す定義値に対応しており、図８に示すパラメータＥは、弁４５の作動を示す定義値に対応している。具体的には、調整弁４１の正作動（空気圧がなくなると調整弁４１が全開になる作動）はパラメータＣの定義値「Ｃｌｏｓｅ」と対応し、調整弁４１の逆作動（空気圧がなくなると調整弁４１が全閉になる作動）はパラメータＣの定義値「Ｏｐｅｎ」と対応し、操作器４３の正作動（空気圧がなくなると弁４５が上方向に移動する作動）はパラメータＤの定義値「Ｄｉｒｅｃｔ」と対応し、操作器４３の逆作動（空気圧がなくなると弁４５が下方向に移動する作動）はパラメータＤの定義値「Ｒｅｖｅｒｓｅ」と対応し、弁４５の正栓はパラメータＥの定義値「Ｃｌｏｓｅ」と対応し、弁４５の逆栓はパラメータＥの定義値「Ｏｐｅｎ」と対応する。したがって、図（１）は、操作器４３が正作動であり、弁が正栓である場合は、調節弁４１の作動は正作動となることを示しており、図（２）は、操作器４３が逆作動であり、弁が逆栓である場合は、調節弁４１の作動は正作動となることを示しており、図（３）は、操作器４３が逆作動であり、弁が正栓である場合は、調節弁４１の作動は逆作動となることを示しており、図（４）は、操作器４３が正作動であり、弁が逆栓である場合は、調節弁４１の作動は逆作動となることを示している。
【００５５】
次に、換算部３１は、換算情報記録部２２に記録・保持されている以下の換算式（６−１）に基づいて、各Ｄｅｖｉｃｅ１，２に関して、パラメータＤの定義値表記「Ｄｉｒｅｃｔ」（第１表記）に準拠している値「１」または「真」（第１設定値）と、パラメータＥの定義値表記「Ｏｐｅｎ」（第１表記）に準拠している値「１」または「真」（第１設定値）とを、パラメータＹの定義値表記「Ｏｐｅｎ」（第２表記）に準拠するように、値「Ｏｐｅｎ」（第２設定値）に換算する（図５のステップＳ２）。
換算式（６−１）
パラメータＤ：Ｄｉｒｅｃｔ／パラメータＥ：Ｏｐｎｅ→パラメータＹ：Ｏｐｅｎ
また、換算部３１は、換算情報記録部２２に記録・保持されている以下の換算式（６−２）に基づいて、Ｄｅｖｉｃｅ３に関して、パラメータＤの定義値表記「Ｄｉｒｅｃｔ」（第１表記）に準拠している値「１」または「真」（第１設定値）と、パラメータＥの定義値表記「Ｃｌｏｓｅ」（第１表記）に準拠している値「０」または「偽」（第１設定値）とを、パラメータＹの定義値表記「Ｃｌｏｓｅ」（第２表記）に準拠するように、値「０」または「偽」（第２設定値）に換算する（図５のステップＳ２）。
換算式（６−２）
パラメータＤ：Ｄｉｒｅｃｔ／パラメータＥ：Ｃｌｏｓｅ→パラメータＹ：Ｃｌｏｓｅ
さらに、換算部３１は、換算情報記録部２２に記録・保持されている以下の換算式（６−３）に基づいて、各Ｄｅｖｉｃｅ４，５に関して、パラメータＣの定義値表記「Ｏｐｅｎ」（第１表記）に準拠している値「１」または「真」（第１設定値）を、パラメータＹの定義値表記「Ｏｐｅｎ」（第２表記）に準拠するように、値「１」または「真」（第２設定値）に換算する（図５のステップＳ２）。
換算式（６−３）
パラメータＣ：Ｏｐｅｎ→パラメータＹ：Ｏｐｅｎ
さらにまた、換算部３１は、換算情報記録部２２に記録・保持されている以下の換算式（６−４）に基づいて、Ｄｅｖｉｃｅ６に関して、パラメータＤの定義値表記「Ｒｅｖｅｒｓｅ」（第１表記）に準拠している値「０」または「偽」（第１設定値）と、パラメータＥの定義値表記「Ｏｐｅｎ」（第１表記）に準拠している値「１」または「真」（第１設定値）とを、パラメータＹの定義値表記「Ｃｌｏｓｅ」（第２表記）に準拠するように、値「０」または「偽」（第２設定値）に換算する（図５のステップＳ２）。
換算式（６−４）
パラメータＤ：Ｒｅｖｅｒｓｅ／パラメータＥ：Ｏｐｅｎ→パラメータＹ：Ｃｌｏｓｅ
またさらに、換算部３１は、換算情報記録部２２に記録・保持されている以下の換算式（６−５）に基づいて、Ｄｅｖｉｃｅ７に関して、パラメータＤの定義値表記「Ｒｅｖｅｒｓｅ」（第１表記）に準拠している値「０」または「偽」（第１設定値）と、パラメータＥの定義値表記「Ｃｌｏｓｅ」（第１表記）に準拠している値「０」または「偽」（第１設定値）とを、パラメータＹの定義値表記「Ｏｐｅｎ」（第２表記）に準拠するように、値「１」または「真」（第２設定値）に換算する（図５のステップＳ２）。
換算式（６−５）
パラメータＤ：Ｒｅｖｅｒｓｅ／パラメータＥ：Ｃｌｏｓｅ→パラメータＹ：Ｏｐｅｎ
【００５６】
画像生成部３３は、換算式（６−１）〜（６−５）に基づいて、定義値表記「Ｏｐｅｎ」，「Ｃｌｏｓｅ」（第２表記）に準拠するように、換算された第１設定値を第２設定値と比較可能に配置した図８（ｃ）に示す画像を生成する（図５のステップＳ３）。
【００５７】
次に、出力部１２は、画像生成部３３により生成された図８（ｃ）に示す画像を出力する（図５のステップＳ４）。
【００５８】
（効果）
以上説明したように、本発明の実施形態によれば、複数の異なる表記に準拠している設定値を共通の表記に準拠するように換算することにより、各機器の設定値を比較可能に表示することができ、ユーザは単に数値を比較するだけで複数の機器間における設定値の整合の程度を確認できる。即ち、仮に本来同一の値であるべき２以上の機器の各設定値をユーザが確認するにあたり、従来であれば機器毎に異なる表記を取っていたがために、値が同一であるか否かの判断を誤るおそれがあったところ、本発明によれば、各機器の設定値を共通の表記に換算することにより、判断を誤るおそれが低減され、異常発見の容易化にも寄与することができる。また、本発明の有効性は値が同一の場合に限るものではなく、単に２以上の機器の各設定値を相互に比較する場合であっても、各設定値に係る表記が同一であることにより、ユーザは各設定値の違い（大小関係や差など）を容易に認識することが可能となる。したがって、本発明に係る機器管理装置等によれば、設定値に関する設定の誤りや異常を容易に検知でき、設定値の管理を効率的に行うことができる。
【００５９】
[他の実施形態]
本発明において、上述した各実施形態は、あくまでも例示であり、明示しない種々の変形や技術の適用を排除する意図はない。即ち、本発明は、その趣旨を逸脱しない範囲で種々変形（各実施形態を組み合わせる等）して実施することができる。
【００６０】
出力部１２は、図６（ｂ）、図７（ｃ）および図８（ｃ）に示す、設定値の各比較表示画像を個別に出力するように構成されてもよく、比較表示画像の二以上を合成して出力するように構成されてもよい。
【００６１】
図６（ｂ）において、画像生成部３３は、第２表記に準拠するように換算された第１設定値の表示形態と、第２設定値の表示形態とが異なるように画像を生成する構成について説明したがこれに限られない。たとえば、画像生成部３３は、他の実施形態、すなわち、図７（ｃ）および図８（ｃ）において説明した実施形態においても、同様に換算された第１設定値の表示形態と、第２設定値の表示形態とが異なるように画像を生成するように構成されてよい。
【００６２】
換算情報記録部２２が記録する上記換算式・換算テーブルはあくまで例示であり、上記したものに限られず、設定値を換算するために必要な様々な換算式・換算テーブルを設定・登録可能である。
【符号の説明】
【００６３】
１    機器管理制御システム
３ａ、３ｂ    プロセス機器
５    制御装置
９    機器管理装置
１０    入力部
１２    出力部
２０    機器情報記録部
２２    換算情報記録部
３０    情報処理部
３１    換算部
３３    画像生成部
４１    調節弁
４３    操作器
４５    弁
【図１】
2016197333.tif 000003
【図２】
2016197333.tif 000004
【図３】
2016197333.tif 000005
【図４】
2016197333.tif 000006
【図５】
2016197333.tif 000007
【図６】
2016197333.tif 000008
【図７】
2016197333.tif 000009
【図８】
2016197333.tif 000010
【図９】
2016197333.tif 000011